(57)【要約】【課題】支持部材に対する表示装置の取付位置の精度を高くし易く、かつ支持部材への表示装置の取り付けの際に表示装置に破損が生じるのを抑制し易い新規な構成の電子機器を得る。【解決手段】電子機器１は、表示装置３１と、支持部材２３と、固定部材３４と、を備える。表示装置３１は、第１面３１ａと、第１面３１ａの反対側の第２面３１ｂと、第１面３１ａと第２面３１ｂとに亘った側面３１ｃと、を有する。支持部材２３は、第１面３１ａが重ねられた支持面２３ａと、突出部２３ｂと、を有する。固定部材３４は、第２面３１ｂと側面３１ｃとのうち少なくとも一方に固定された第１固定部３４ａと、第１面３１ａに沿った方向に突出部２３ｂと面し、支持部材２３に固定された第２固定部３４ｂａ，３４ｂｂと、を有する。【選択図】図６
2020115199.tif 000002
【特許請求の範囲】
【請求項１】
第１面と、前記第１面の反対側の第２面と、前記第１面と前記第２面とに亘った側面と、を有した表示装置と、
前記第１面が重ねられた支持面と、前記第１面に沿った方向に前記側面と間隔を空けて位置され前記支持面から前記支持面と交差する方向に延びた突出部と、を有した支持部材と、
前記第２面と前記側面とのうち少なくとも一方に固定された第１固定部と、前記第１固定部と接続され、前記第１面に沿った前記方向に前記突出部と面し、前記支持部材に固定された第２固定部と、を有した固定部材と、
を備えた電子機器。
【請求項２】
前記第１固定部は、前記第２固定部と接続され前記側面を覆った第１覆部を有した、請求項１に記載の電子機器。
【請求項３】
前記第１固定部は、前記第１覆部と接続され前記第２面を覆った第２覆部を有した、請求項２に記載の電子機器。
【請求項４】
前記表示装置は、互いに接続された複数の前記側面を有し、
前記固定部材は、隣接する二つの前記側面のそれぞれに対して設けられた二つの前記第２固定部を有し、
前記第１固定部は、二つの前記第２固定部を接続した、請求項１〜３のうちいずれか一つに記載の電子機器。
【請求項５】
前記固定部材は、前記支持面に接着された前記第２固定部を有した、請求項１〜４のうちいずれか一つに記載の電子機器。
【請求項６】
前記固定部材は、ネジによって前記支持面に固定された前記第２固定部を有した、請求項１〜５のうちいずれか一つに記載の電子機器。
【請求項７】
前記表示装置を制御する基板を備え、
前記表示装置は、互いに接続された複数の前記側面を有し、
前記基板は、ある前記側面から当該ある側面と交差する方向に突出し、
前記ネジによって前記支持面に固定された前記第２固定部は、前記ある側面と前記突出部との間に位置された、請求項６に記載の電子機器。
【発明の詳細な説明】
【技術分野】
【０００１】
本発明は、電子機器に関する。
【背景技術】
【０００２】
従来、表示装置と、表示装置が固定された支持部材と、を備えた電子機器が知られている。
【先行技術文献】
【特許文献】
【０００３】
【特許文献１】特開２００９−４３０９８号公報
【発明の概要】
【発明が解決しようとする課題】
【０００４】
この種の電子機器では、例えば、支持部材に対する表示装置の取付位置の精度を高くし易く、かつ支持部材への表示装置の取り付けの際に表示装置に破損が生じるのを抑制し易い新規な構成が得られれば、有益である。
【０００５】
そこで、本発明の課題の一つは、支持部材に対する表示装置の取付位置の精度を高くし易く、かつ支持部材への表示装置の取り付けの際に表示装置に破損が生じるのを抑制し易い新規な構成の電子機器を得ることである。
【課題を解決するための手段】
【０００６】
本発明の第１態様にかかる電子機器は、第１面と、前記第１面の反対側の第２面と、前記第１面と前記第２面とに亘った側面と、を有した表示装置と、前記第１面が重ねられた支持面と、前記第１面に沿った方向に前記側面と間隔を空けて位置され前記支持面から前記支持面と交差する方向に延びた突出部と、を有した支持部材と、前記第２面と前記側面とのうち少なくとも一方に固定された第１固定部と、前記第１固定部と接続され、前記第１面に沿った前記方向に前記突出部と面し、前記支持部材に固定された第２固定部と、を有した固定部材と、を備える。
【０００７】
前記電子機器では、例えば、前記第１固定部は、前記第２固定部と接続され前記側面を覆った第１覆部を有する。
【０００８】
前記電子機器では、例えば、前記第１固定部は、前記第１覆部と接続され前記第２面を覆った第２覆部を有する。
【０００９】
前記電子機器では、例えば、前記表示装置は、互いに接続された複数の前記側面を有し、前記固定部材は、隣接する二つの前記側面のそれぞれに対して設けられた二つの前記第２固定部を有し、前記第１固定部は、二つの前記第２固定部を接続している。
【００１０】
前記電子機器では、例えば、前記固定部材は、前記支持面に接着された前記第２固定部を有する。
【００１１】
前記電子機器では、例えば、前記固定部材は、ネジによって前記支持面に固定された前記第２固定部を有する。
【００１２】
前記電子機器は、例えば、前記表示装置を制御する基板を備え、前記表示装置は、互いに接続された複数の前記側面を有し、前記基板は、ある前記側面から当該ある側面と交差する方向に突出し、前記ネジによって前記支持面に固定された前記第２固定部は、前記ある側面と前記突出部との間に位置されている。
【発明の効果】
【００１３】
本発明の上記態様によれば、支持部材に対する表示装置の取付位置の精度を高くし易く、かつ支持部材への表示装置の取り付けの際に表示装置に破損が生じるのを抑制し易い新規な構成の電子機器を得ることができる。
【図面の簡単な説明】
【００１４】
【図１】図１は、実施形態の電子機器の正面側からの例示的な斜視図であって、電子機器が展開位置に位置された状態の図である。
【図２】図２は、実施形態の第２モジュールにおけるタッチパネルおよびフロントカバーの正面側からの例示的な分解斜視図である。
【図３】図３は、実施形態の第２モジュールの背面側からの例示的な斜視図であって、リヤカバーが取り外された状態の図である。
【図４】図４は、図３に示される第２モジュールの分解斜視図である。
【図５】図５は、実施形態のディスプレイユニットの背面側からの例示的な斜視図である。
【図６】図６は、図３のVI部の一部の例示的な拡大図である。
【図７】図７は、図６のVII-VII断面図である。
【図８】図８は、実施形態の第２モジュールにおける表示装置および固定部材の背面側からの例示的な分解斜視図である。
【図９】図９は、図３のIX部の一部の例示的な拡大図である。
【発明を実施するための形態】
【００１５】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１６】
なお、本明細書では、序数は、部品や、部材、部位、位置、方向等を区別するためだけに用いられており、順番や優先度を示すものではない。
【００１７】
図１は、実施形態の電子機器１の正面側からの例示的な斜視図であって、第２モジュール３が展開位置に位置された状態の図である。
【００１８】
図１に示されるように、電子機器１は、例えば、ノートブック型（クラムシェル型）のパーソナルコンピュータとして構成され、第１モジュール２と、第２モジュール３と、を備えている。第１モジュール２は、例えば机や、台、棚等の載置部に載置される。第２モジュール３は、第１モジュール２に対して回転中心軸Ｃ回りに回転可能に第１モジュール２に支持され、展開位置（図１）と閉じ位置（不図示）との間を移動可能である。具体的には、第２モジュール３は、ヒンジ５を介して第１モジュール２に連結されている。なお、電子機器１は、上記例には限定されず、例えば、デスクトップ型のパーソナルコンピュータや、スレート型（タブレット型）のパーソナルコンピュータ、スマートフォン、携帯電話、映像表示装置、テレビジョン受像機、ゲーム機等であってもよい。
【００１９】
また、本実施形態では、便宜上、互いに直交する三方向が定義されている。Ｘ方向は、第１モジュール２の奥行方向（前後方向、短手方向）に沿い、Ｙ方向は、第１モジュール２の幅方向（左右方向、長手方向）に沿い、Ｚ方向は、第１モジュール２の高さ方向（上下方向）に沿う。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される。
【００２０】
第１モジュール２は、第１筐体１１と、第１筐体１１に支持されたキーボード１２と、を有している。キーボード１２は、上方から操作可能な状態に第１筐体１１に支持されている。また、第１筐体１１内には、基板（不図示）が収容されている。基板には、ＣＰＵ（Central  Processing  Unit）や、ＲＯＭ（Read  Only  Memory）、ＲＡＭ（Random  Access  Memory）等の複数の電子部品（不図示）が実装されている。基板に設けられた配線と基板に実装された複数の電子部品とによって、電子機器１の電子回路の少なくとも一部が構成されている。
【００２１】
第２モジュール３は、第２筐体２１と、ディスプレイユニット２２と、タッチパネル２５と、を有している。ディスプレイユニット２２は、表示画面２２ａが前方から視認可能な状態に、第２筐体２１に支持されている。また、タッチパネル２５は、ディスプレイユニット２２の表示画面２２ａを覆った状態で第２筐体２１に支持されている。
【００２２】
第２モジュール３（第２筐体２１）が展開位置（図１）に位置した状態では、第１筐体１１の上面１１ａおよびキーボード１２と、第２筐体２１の前面２１ａおよびディスプレイユニット２２の表示画面２２ａとが対向せず、第１筐体１１の上面１１ａ、キーボード１２、第２筐体２１の前面２１ａ、ディスプレイユニット２２の表示画面２２ａが露出する。このとき、第２筐体２１の前面２１ａおよび後面２１ｂは、それぞれ、前方および後方を向く。
【００２３】
一方、第２モジュール３（第２筐体２１）が閉じ位置（不図示）に位置した状態では、第１筐体１１の上面１１ａおよびキーボード１２と、第２筐体２１の前面２１ａおよびディスプレイユニット２２の表示画面２２ａとが対向する。
【００２４】
次に、第２モジュール３について詳細に説明する。
【００２５】
図１に示されるように、第２筐体２１は、扁平な略直方体に形成されている。第２筐体２１は、例えば、前壁２１ｃや、後壁２１ｄ、下壁２１ｅ、上壁２１ｆ、左壁２１ｇ、右壁２１ｈ等の複数の壁を有している。
【００２６】
前壁２１ｃは、前面２１ａを含み、後壁２１ｄは、後面２１ｂを含む。
【００２７】
下壁２１ｅおよび上壁２１ｆは、それぞれ、第２筐体２１の下端部２１ｉおよび上端部２１ｊを構成している。上端部２１ｊは、回転中心軸Ｃと離間している。下端部２１ｉは、上端部２１ｊに対して回転中心軸Ｃ側に設けられている。
【００２８】
左壁２１ｇおよび右壁２１ｈは、それぞれ、第２筐体２１の左端部２１ｋおよび右端部２１ｍを構成している。
【００２９】
また、第２筐体２１は、フロントカバー２３と、リヤカバー２４と、を含む複数の部材の組み合わせによって構成されている。フロントカバー２３は、前壁２１ｃの一部を含み、矩形枠状に形成されている。リヤカバー２４は、少なくとも後壁２１ｄを含む。フロントカバー２３とリヤカバー２４とは、爪やネジ等のよって互いに結合されている。
【００３０】
図２は、実施形態の第２モジュール３におけるタッチパネル２５およびフロントカバー２３の正面側からの例示的な分解斜視図である。
【００３１】
図１および図２に示されるように、タッチパネル２５は、フロントカバー２３における前面２１ａ側に配置され、当該前面２１ａに固定されている。フロントカバー２３の前面２１ａに対するタッチパネル２５の固定は、例えば両面接着テープ３０（図７）による接着によってなされている。タッチパネル２５は、扁平な略直方体に形成されている。
【００３２】
図３は、実施形態の第２モジュール３の背面側からの例示的な斜視図であって、リヤカバー２４が取り外された状態の図である。図４は、図３に示される第２モジュール３の分解斜視図である。
【００３３】
図３および図４に示されるように、第２モジュール３は、フロントカバー２３における前面２１ａとは反対側に配置され、フロントカバー２３の支持面２３ａに固定されている。フロントカバー２３の支持面２３ａは、フロントカバー２３の前面２１ａの反対側の面である。
【００３４】
図５は、実施形態のディスプレイユニット２２の背面側からの例示的な斜視図である。
【００３５】
図５に示されるように、ディスプレイユニット２２は、表示装置３１と、表示装置３１を制御する基板３２と、を有している。
【００３６】
表示装置３１は、例えば、液晶ディスプレイである。なお、表示装置３１は、液晶ディスプレイに限られない。例えば、表示装置３１は、有機ＥＬ（Electro  Luminescence）ディスプレイ等であってもよい。
【００３７】
表示装置３１は、扁平な略直方体に形成されている。図１および図５に示されるように、表示装置３１は、第１面３１ａ（図１）と、第１面３１ａの反対側の第２面３１ｂ（図５）と、第１面３１ａと第２面３１ｂとに亘った複数の側面３１ｃ（図５）と、を有している。第１面３１ａは、表示画面２２ａを含む。複数の側面３１ｃは、下側面３１ｃａと、上側面３１ｃｂと、左側面３１ｃｃと、右側面３１ｃｄと、を含む。下側面３１ｃａは、表示装置３１の下端部（下辺部）を構成し、上側面３１ｃｂは、表示装置３１の上端部（上辺部）を構成し、左側面３１ｃｃは、表示装置３１の左端部（左辺部）を構成し、右側面３１ｃｄは、表示装置３１の右端部（右辺部）を構成している。複数の側面３１ｃ
は、互いに接続されている。
【００３８】
また、図５に示されるように、表示装置３１には、四つの角部３１ｄａ〜３１ｄｄが設けられている。角部３１ｄａは、下側面３１ｃａと左側面３１ｃｃとの交差部によって構成されている。角部３１ｄｂは、下側面３１ｃａと右側面３１ｃｄとの交差部によって構成されている。角部３１ｄｃは、右側面３１ｃｄと上側面３１ｃｂとの交差部によって構成されている。角部３１ｄｄは、上側面３１ｃｂと左側面３１ｃｃとの交差部によって構成されている。四つの角部３１ｄａ〜３１ｄｄを区別しないで説明する場合には、角部３１ｄａ〜３１ｄｄを角部３１ｄとも称する。
【００３９】
基板３２は、複数の側面３１ｃのうち下側面３１ｃａから当該下側面３１ｃａと交差（直交）する方向（下側面３１ｃａにおける上側面３１ｃｂとは反対方向）に突出している。基板３２の左右方向の幅は、下側面３１ｃａの左右方向の幅よりも小さく、基板３２は、下側面３１ｃａの左右の端部すなわち角部３１ｄａ，３１ｄｂと離間している。基板３２は、回路基板や制御基板とも称される。
【００４０】
次に、フロントカバー２３に対する表示装置３１の固定構造について説明する。図６は、図３のVI部の一部の例示的な拡大図である。図７は、図６のVII-VII断面図である。
【００４１】
図４〜図７に示されるように、フロントカバー２３の支持面２３ａには、表示装置３１を位置決めするための複数のリブ２３ｂが設けられている。リブ２３ｂは、板状に形成されている。リブ２３ｂは、支持面２３ａから支持面２３ａと交差する方向（一例として後方）に延びている。すなわち、リブ２３ｂは、支持面２３ａから支持面２３ａと交差する方向に突出している。複数のリブ２３ｂは、表示装置３１の角部３１ｄごとに二つずつ設けられている。一つの角部３１ｄに対して設けられた二つのリブ２３ｂのうち一方は、当該角部３１ｄを構成する二つの側面３１ｃのうち一方と間隔を空けて対向するように設けられ、当該二つのリブ２３ｂのうち他方は、当該角部３１ｄを構成する二つの側面３１ｃのうち他方と間隔を空けて対向するように設けられている。リブ２３ｂは、突出部の一例である。リブ２３ｂは、位置決め部や凸部とも称される。
【００４２】
表示装置３１は、第１面３１ａとフロントカバー２３の支持面２３ａとが重なる状態で複数のリブ２３ｂの内側の領域に配置されて、フロントカバー２３に固定されている。図３および図７に示されるように、表示装置３１は、両面接着テープ３３（図７）および複数の固定部材３４によってフロントカバー２３の支持面２３ａに固定されている。
【００４３】
図７に示されるように、両面接着テープ３３は、表示装置３１の第１面３１ａの外縁部と重なるように形成され、フロントカバー２３の支持面２３ａとの間に介在し、第１面３１ａを支持面２３ａに接着している。また、両面接着テープ３３には、支持面２３ａ上において表示装置３１から表示装置３１の外側に延びた突出部３３ａが設けられている。すなわち、突出部３３ａは、支持面２３ａ上において表示装置３１から表示装置３１の外側に突出している。突出部３３ａは、凸部とも称される。
【００４４】
図５に示されるように、複数の固定部材３４は、表示装置３１の角部３１ｄａに対して設けられた固定部材３４Ａと、表示装置３１の角部３１ｄｂに対して設けられた固定部材３４Ｂと、表示装置３１の角部３１ｄｃに対して設けられた固定部材３４Ｃと、表示装置３１の角部３１ｄｄに対して設けられた固定部材３４Ｄと、を含む。複数の固定部材３４は、同様の構成を有するので、複数の固定部材３４の代表として固定部材３４Ｄについて詳細に説明する。
【００４５】
図８は、実施形態の第２モジュール３における表示装置３１および固定部材３４Ｄの背面側からの例示的な分解斜視図である。
【００４６】
図６〜図８に示されるように、固定部材３４Ｄは、複数の曲部が形成された板金部材によって構成されている。固定部材３４Ｄは、例えばステンレス鋼やアルミニウム等の金属材料によって構成されている。固定部材３４Ｄは、固定兼補強部材や板状部材とも称される。
【００４７】
固定部材３４Ｄは、第１固定部３４ａと、第１固定部３４ａと接続された二つの第２固定部３４ｂａ，３４ｂｂと、を有している。
【００４８】
第１固定部３４ａは、二つの第１覆部３４ｃａ，３４ｃｂと、第２覆部３４ｄと、を有している。第１覆部３４ｃａ，３４ｃｂは、それぞれ、左側面３１ｃｃおよび上側面３１ｃｂに沿った平板状に形成され、左側面３１ｃｃおよび上側面３１ｃｂを覆っている。第１覆部３４ｃａ，３４ｃｂは、左側面３１ｃｃおよび上側面３１ｃｂに両面接着テープ３５（図７）によって接着されている。なお、両面接着テープ３５に替えて接着剤を設けてもよい。
【００４９】
第２覆部３４ｄは、表示装置３１の第２面３１ｂに沿った平板状に形成され、第２面３１ｂを覆っている。第２覆部３４ｄと第２面３１ｂとの間には、隙間が設けられている。第２覆部３４ｄは、二つの第１覆部３４ｃａ，３４ｃｂの間に設けられ、二つの第１覆部３４ｃａ，３４ｃｂを接続している。また、第２覆部３４ｄには、第２覆部３４ｄの厚さ方向に第２覆部３４ｄを貫通した貫通孔３４ｄａが設けられている。なお、貫通孔３４ｄａに替えて切り欠きが設けられてもよい。貫通孔３４ｄａおよび切り欠きは、開口部の一例である。
【００５０】
二つの第２固定部３４ｂａ，３４ｂｂは、隣接する二つの側面３１ｃである左側面３１ｃｃおよび上側面３１ｃｂのそれぞれに対して設けられ、第１固定部３４ａの第１覆部３４ｃａ，３４ｃｂと接続されている。すなわち、二つの第２固定部３４ｂａ，３４ｂｂは、第１固定部３４ａによって接続されている。第２固定部３４ｂａ，３４ｂｂは、それぞれ、フロントカバー２３の支持面２３ａに沿った平板状に形成されている。第２固定部３４ｂａ，３４ｂｂは、フロントカバー２３の支持面２３ａに重ねられた状態で、第１面３１ａに沿った方向（左右方向や上下方向）にリブ２３ｂと面している。第２固定部３４ｂａ，３４ｂｂとリブ２３ｂとの間には、隙間が有ってもよいし隙間が無くてもよい。第２固定部３４ｂａ，３４ｂｂは、フロントカバー２３の支持面２３ａに固定されている。第２固定部３４ｂａ，３４ｂｂと支持面２３ａとの固定は、両面接着テープ３３の突出部３３ａによる接着によってなされている。
【００５１】
図５に示されるように、固定部材３４Ｃは、固定部材３４Ｄと、表示装置３１の幅方向の中心を通り表示装置３１の幅方向と直交する平面Ｐ１に関して対称に形成されている。
【００５２】
また、固定部材３４Ａは、固定部材３４Ｄと、表示装置３１の上下方向の中心を通り表示装置３１の上下方向と直交する平面Ｐ２に関して、一部を除いて対称に形成されている。固定部材３４Ｄに対する固定部材３４Ａの相違点の一つは、第２固定部３４ｂｂに、当該第２固定部３４ｂｂの厚さ方向に当該第２固定部３４ｂｂを貫通した貫通孔３４ｂｃが設けられている点である。ここで、図９は、図３のIX部の一部の例示的な拡大図である。図９に示されるように、固定部材３４Ａの第２固定部３４ｂｂは、貫通孔３４ｂｃに入れられたネジ３６によってフロントカバー２３の支持面２３ａに固定されている。
【００５３】
また、図５に示されるように、固定部材３４Ａは、固定部材３４Ｂと、平面Ｐ１に関して略対称に形成されている。固定部材３４Ａは、固定部材３４Ｂと同様に、貫通孔３４ｂｃに入れられたネジ３６によってフロントカバー２３の支持面２３ａに固定されている。
【００５４】
以上の構成の第２モジュール３の組立方法（製造方法）の一例について説明する。図２に示されるようなフロントカバー２３およびタッチパネル２５の状態から、フロントカバー２３にタッチパネル２５を固定する。また、ディスプレイユニット２２の表示装置３１に複数の固定部材３４を固定する（図５）。次に、図４に示されるようなフロントカバー２３およびディスプレイユニット２２の状態から、フロントカバー２３にディスプレイユニット２２を固定する。この際、固定部材３４をフロントカバー２３のリブ２３ｂに対して、第１面３１ａに沿った方向（左右方向や上下方向）に接触させることにより、固定部材３４ひいては表示装置３１の位置決めをすることができる。また、この際、固定部材３４が設けられているので、表示装置３１の外周部がリブ２３ｂに乗り上げられるのが抑制されやすい。
【００５５】
以上のように、本実施形態では、電子機器１は、表示装置３１と、フロントカバー２３（支持部材）と、固定部材３４と、を備える。表示装置３１は、第１面３１ａと、第１面３１ａの反対側の第２面３１ｂと、第１面３１ａと第２面３１ｂとに亘った側面３１ｃ（下側面３１ｃａ、上側面３１ｃｂ、左側面３１ｃｃ、右側面３１ｃｄ）と、を有する。フロントカバー２３は、第１面３１ａが重ねられた支持面２３ａと、第１面３１ａに沿った方向に側面３１ｃと間隔を空けて位置され支持面２３ａから支持面２３ａと交差する方向に延びたリブ２３ｂ（突出部）と、を有する。固定部材３４は、第２面３１ｂと側面３１ｃとのうち少なくとも一方（一例として、側面３１ｃ）に固定された第１固定部３４ａと、第１固定部３４ａと接続され、第１面３１ａに沿った方向にリブ２３ｂと面し、フロントカバー２３に固定された第２固定部３４ｂａ，３４ｂｂと、を有する。
【００５６】
このような構成によれば、例えば、固定部材３４の第２固定部３４ｂａ，３４ｂｂが、フロントカバー２３のリブ２３ｂと第１面３１ａに沿った方向に面しているので、フロントカバー２３に対する表示装置３１の取付位置の精度を高くし易い。また、例えば、固定部材３４が設けられているので、表示装置３１の外周部がリブ２３ｂに乗り上げられるのが抑制されやすい。よって、フロントカバー２３への表示装置３１の取り付けの際に表示装置３１に傷や割れ等の破損が生じるのを抑制し易い。また、固定部材３４が設けられていることにより、第２モジュール３の強度および剛性が向上する。
【００５７】
また、本実施形態では、表示装置３１は、固定部材３４によって支持面２３ａに固定されるとともに、両面接着テープ３３によって支持面２３ａに固定（接着）されている。よって、表示装置３１が両面接着テープ３３だけで支持面２３ａに固定されている構成に比べて、支持面２３ａに対する表示装置３１の固定強度が増大する。
【００５８】
また、本実施形態では、例えば、第１固定部３４ａは、第２固定部３４ｂａ，３４ｂｂと接続され側面３１ｃを覆った第１覆部３４ｃａ，３４ｃｂを有する。
【００５９】
このような構成によれば、例えば、第１覆部３４ｃａ，３４ｃｂによって、側面３１ｃの向く方向への表示装置３１の移動を制限することができる。
【００６０】
また、本実施形態では、例えば、第１固定部３４ａは、第１覆部３４ｃａ，３４ｃｂと接続され第２面３１ｂを覆った第２覆部３４ｄを有する。
【００６１】
このような構成によれば、例えば、第２覆部３４ｄによって、第２面３１ｂの向く方向への表示装置３１の移動を制限することができる。
【００６２】
また、本実施形態では、例えば、表示装置３１は、互いに接続された複数の側面３１ｃを有する。固定部材３４は、隣接する二つの側面３１ｃのそれぞれに対して設けられた二つの第２固定部３４ｂａ，３４ｂｂを有する。第１固定部３４ａは、二つの第２固定部３４ｂａ，３４ｂｂを接続している。
【００６３】
このような構成によれば、例えば、第２固定部３４ｂａ，３４ｂｂがどちらか一つだけの構成に比べて、表示装置３１の固定強度が向上する。
【００６４】
また、本実施形態では、例えば、固定部材３４Ａ，３４Ｂは、支持面２３ａに接着された第２固定部３４ｂａを有し、固定部材３４Ｃ，３４Ｄは、支持面２３ａに接着された第２固定部３４ｂａ，３４ｂｂを有する。
【００６５】
このような構成によれば、固定部材３４と支持面２３ａとの固定領域を広くし易い。また、このような構成によれば、両面接着テープ３３に突出部３３ａを設けることにより、一つの両面接着テープ３３によって、表示装置３１と固定部材３４との両方をフロントカバー２３の支持面２３ａに固定することができる。別の言い方をすると、表示装置３１を支持面２３ａに固定するための両面接着テープ３３の接着面の面積を増大させることができる。
【００６６】
また、本実施形態では、例えば、固定部材３４Ａ，３４Ｂは、ネジ３６によって支持面２３ａに固定された第２固定部３４ｂｂを有する。
【００６７】
このような構成によれば、第２固定部２４ｂｂがネジ３６によって支持面２３ａに固定されるので、フロントカバー２３に対する表示装置３１の固定強度を向上させやすい。
【００６８】
また、本実施形態では、例えば、表示装置３１を制御する基板３２を備える。表示装置３１は、互いに接続された複数の側面３１ｃを有する。基板３２は、ある側面３１ｃとしての下側面３１ｃａから当該下側面３１ｃａと交差する方向に突出している。ネジ３６によって支持面２３ａに固定された固定部材３４Ａ，３４Ｂの第２固定部３４ｂｂは、下側面３１ｃａと当該下側面３１ｃａと対向するリブ２３ｂとの間に位置されている。
【００６９】
このような構成によれば、基板３２の側方であって下側面３１ｃａに面するスペースに固定部材３４Ａ，３４Ｂの第２固定部２４ｂｂが配置されるので、当該第２固定部２４ｂｂおよびネジ３６を大きくし易い。
【００７０】
なお、上記実施形態では、固定部材３４の第１固定部３４ａは、第２面３１ｂと側面３１ｃとのうち側面３１ｃに固定された例が示されたが、これに限られない。例えば、第１固定部３４ａは、第２面３１ｂと側面３１ｃとのうち第２面３１ｂに固定されていてもよい。すなわち、第２覆部３４ｄが第２面３１ｂに固定されていてもよい。また、第１固定部３４ａは、第２面３１ｂと側面３１ｃとの両方に固定されていてもよい。すなわち、第１覆部３４ｃａ，３４ｃｂが側面３１ｃに固定され、第２覆部３４ｄが第２面３１ｂに固定されてもよい。
【００７１】
また、固定部材３４の形状は、上記実施形態に限定されない。例えば、固定部材３４に第２覆部３４ｄが設けられていなくてもよい。また、例えば、第１覆部３４ｃａ，３４ｃｂは、側面３１ｃに対して傾斜していてもよい。
【００７２】
また、固定部材３４の個数は、上記実施形態に限定されない。例えば、固定部材３４は、対角関係に位置された二つだけであってもよい。
【００７３】
また、上記実施形態では、突出部の一例としてリブ２３ｂが示されたが、これに限定されない。例えば、突出部は、棒状の突起や、リブ２３ｂ以外の壁等であってもよい。
【００７４】
また、上記実施形態では、表示装置３１に基板３２が設けられた例が示されたが、これに限定されない。例えば、表示装置３１に基板３２が設けられていなくてもよい。この場合、例えば、第１筐体１１内に設けられた基板（不図示）等が表示装置３１を制御する構成としてよい。
【００７５】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００７６】
１…電子機器、２３…フロントカバー（支持部材）、２３ａ…支持面、２３ｂ…リブ（突出部）、３１…表示装置、３１ａ…第１面、３１ｂ…第２面、３１ｃ…側面、３１ｃａ…下側面、３１ｃｂ…上側面、３１ｃｃ…左側面、３１ｃｄ…右側面、３２…基板、３４…固定部材、３４ａ…第１固定部、３４ｂａ，３４ｂｂ…第２固定部、３４ｃａ，３４ｃｂ…第１覆部、３４ｄ…第２覆部、３６…ネジ。
【図１】
2020115199.tif 000003
【図２】
2020115199.tif 000004
【図３】
2020115199.tif 000005
【図４】
2020115199.tif 000006
【図５】
2020115199.tif 000007
【図６】
2020115199.tif 000008
【図７】
2020115199.tif 000009
【図８】
2020115199.tif 000010
【図９】
2020115199.tif 000011
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
第１面と、前記第１面の反対側の第２面と、前記第１面と前記第２面とに亘った側面と、を有した表示装置と、
前記第１面が重ねられた支持面と、前記第１面に沿った方向に前記側面と間隔を空けて位置され前記支持面から前記支持面と交差する方向に延びた突出部と、を有した支持部材と、
前記第２面と前記側面とのうち少なくとも一方に固定された第１固定部と、前記第１固定部と接続され、前記第１面に沿った前記方向に前記突出部と面した第２固定部と、を有した固定部材と、
前記第１面および前記第２固定部の両方を前記支持面に接着した両面接着テープと、
を備えた電子機器。
【請求項２】
前記第１固定部は、前記第２固定部と接続され前記側面を覆った第１覆部を有した、請求項１に記載の電子機器。
【請求項３】
前記第１固定部は、前記第１覆部と接続され前記第２面を覆った第２覆部を有した、請求項２に記載の電子機器。
【請求項４】
前記表示装置は、互いに接続された複数の前記側面を有し、
前記固定部材は、隣接する二つの前記側面のそれぞれに対して設けられた二つの前記第２固定部を有し、
前記第１固定部は、二つの前記第２固定部を接続した、請求項１〜３のうちいずれか一つに記載の電子機器。
【請求項５】
前記固定部材は、前記表示装置において互いに接続された二つの前記側面の交差部によって構成された角部を露出させた、請求項４に記載の電子機器。
【請求項６】
第１面と、前記第１面の反対側の第２面と、前記第１面と前記第２面とに亘った側面と、を有した表示装置と、
前記第１面が重ねられた支持面と、前記第１面に沿った方向に前記側面と間隔を空けて位置され前記支持面から前記支持面と交差する方向に延びた突出部と、を有した支持部材と、
前記第２面と前記側面とのうち少なくとも一方に固定された第１固定部と、前記第１固定部と接続され、前記第１面に沿った前記方向に前記突出部と面し、前記支持部材に固定された第２固定部と、を有した固定部材と、
を備え、
前記表示装置は、互いに接続された複数の前記側面を有し、
前記固定部材は、隣接する二つの前記側面のそれぞれに対して設けられた二つの前記第２固定部を有し、
前記第１固定部は、二つの前記第２固定部を接続し、
前記固定部材は、前記表示装置において互いに接続された二つの前記側面の交差部によって構成された角部を露出させた、電子機器。
【請求項７】
前記固定部材は、前記支持面に接着された前記第２固定部を有した、請求項６に記載の電子機器。
【請求項８】
前記固定部材は、ネジによって前記支持面に固定された前記第２固定部を有した、請求項１〜７のうちいずれか一つに記載の電子機器。
【請求項９】
前記表示装置を制御する基板を備え、
前記表示装置は、互いに接続された複数の前記側面を有し、
前記基板は、ある前記側面から当該ある側面と交差する方向に突出し、
前記ネジによって前記支持面に固定された前記第２固定部は、前記ある側面と前記突出部との間に位置された、請求項８に記載の電子機器。
【手続補正２】
【補正対象書類名】明細書
【補正対象項目名】０００６
【補正方法】変更
【補正の内容】
【０００６】
本発明の第１態様にかかる電子機器は、第１面と、前記第１面の反対側の第２面と、前記第１面と前記第２面とに亘った側面と、を有した表示装置と、前記第１面が重ねられた支持面と、前記第１面に沿った方向に前記側面と間隔を空けて位置され前記支持面から前記支持面と交差する方向に延びた突出部と、を有した支持部材と、前記第２面と前記側面とのうち少なくとも一方に固定された第１固定部と、前記第１固定部と接続され、前記第１面に沿った前記方向に前記突出部と面した第２固定部と、を有した固定部材と、前記第１面および前記第２固定部の両方を前記支持面に接着した両面接着テープと、を備える。
【手続補正３】
【補正対象書類名】明細書
【補正対象項目名】０００９
【補正方法】変更
【補正の内容】
【０００９】
前記電子機器では、例えば、前記表示装置は、互いに接続された複数の前記側面を有し、前記固定部材は、隣接する二つの前記側面のそれぞれに対して設けられた二つの前記第２固定部を有し、前記第１固定部は、二つの前記第２固定部を接続している。
前記電子機器では、例えば、前記固定部材は、前記表示装置において互いに接続された二つの前記側面の交差部によって構成された角部を露出させている。
本発明の第２態様にかかる電子機器は、第１面と、前記第１面の反対側の第２面と、前記第１面と前記第２面とに亘った側面と、を有した表示装置と、前記第１面が重ねられた支持面と、前記第１面に沿った方向に前記側面と間隔を空けて位置され前記支持面から前記支持面と交差する方向に延びた突出部と、を有した支持部材と、前記第２面と前記側面とのうち少なくとも一方に固定された第１固定部と、前記第１固定部と接続され、前記第１面に沿った前記方向に前記突出部と面し、前記支持部材に固定された第２固定部と、を有した固定部材と、を備え、前記表示装置は、互いに接続された複数の前記側面を有し、前記固定部材は、隣接する二つの前記側面のそれぞれに対して設けられた二つの前記第２固定部を有し、前記第１固定部は、二つの前記第２固定部を接続し、前記固定部材は、前記表示装置において互いに接続された二つの前記側面の交差部によって構成された角部を露出させている。
【手続補正４】
【補正対象書類名】明細書
【補正対象項目名】００７６
【補正方法】変更
【補正の内容】
【００７６】
１…電子機器、２３…フロントカバー（支持部材）、２３ａ…支持面、２３ｂ…リブ（突出部）、３１…表示装置、３１ａ…第１面、３１ｂ…第２面、３１ｃ…側面、３１ｃａ…下側面、３１ｃｂ…上側面、３１ｃｃ…左側面、３１ｃｄ…右側面、３１ｄａ〜３１ｄｄ…角部、３２…基板、３３…両面接着テープ、３４…固定部材、３４ａ…第１固定部、３４ｂａ，３４ｂｂ…第２固定部、３４ｃａ，３４ｃｂ…第１覆部、３４ｄ…第２覆部、３６…ネジ。
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
第１面と、前記第１面の反対側の第２面と、前記第１面と前記第２面とに亘った側面と、を有した表示装置と、
前記第１面が重ねられた支持面と、前記第１面に沿った方向に前記側面と間隔を空けて位置され前記支持面から前記支持面と交差する方向に延びた突出部と、を有した支持部材と、
前記第２面と前記側面とのうち少なくとも一方に固定された第１固定部と、前記第１固定部と接続され、前記第１面に沿った前記方向に前記突出部と面した第２固定部と、を有した固定部材と、
前記第１面および前記第２固定部の両方を前記支持面に接着した両面接着テープと、
を備えた電子機器。
【請求項２】
前記第１固定部は、前記第２固定部と接続され前記側面を覆った第１覆部を有した、請求項１に記載の電子機器。
【請求項３】
前記第１固定部は、前記第１覆部と接続され前記第２面を覆った第２覆部を有した、請求項２に記載の電子機器。
【請求項４】
前記表示装置は、互いに接続された複数の前記側面を有し、
前記固定部材は、隣接する二つの前記側面のそれぞれに対して設けられた二つの前記第２固定部を有し、
前記第１固定部は、二つの前記第２固定部を接続した、請求項１〜３のうちいずれか一つに記載の電子機器。
【請求項５】
前記固定部材は、前記表示装置において互いに接続された二つの前記側面の交差部によって構成された角部を露出させた、請求項４に記載の電子機器。
【請求項６】
前記固定部材は、ネジによって前記支持面に固定された前記第２固定部を有した、請求項１〜５のうちいずれか一つに記載の電子機器。
【請求項７】
前記表示装置を制御する基板を備え、
前記表示装置は、互いに接続された複数の前記側面を有し、
前記基板は、ある前記側面から当該ある側面と交差する方向に突出し、
前記ネジによって前記支持面に固定された前記第２固定部は、前記ある側面と前記突出部との間に位置された、請求項６に記載の電子機器。
【手続補正２】
【補正対象書類名】明細書
【補正対象項目名】０００９
【補正方法】変更
【補正の内容】
【０００９】
前記電子機器では、例えば、前記表示装置は、互いに接続された複数の前記側面を有し、前記固定部材は、隣接する二つの前記側面のそれぞれに対して設けられた二つの前記第２固定部を有し、前記第１固定部は、二つの前記第２固定部を接続している。
前記電子機器では、例えば、前記固定部材は、前記表示装置において互いに接続された二つの前記側面の交差部によって構成された角部を露出させている。
【手続補正３】
【補正対象書類名】明細書
【補正対象項目名】００１０
【補正方法】削除
【補正の内容】